(57)【要約】【課題】放送番組に視聴年齢制限があり、この情報を番組と共に録画できない場合、無音でかつ映像のない状態が録画される。【解決手段】チューナーを介して入力された番組から制御情報を抜き出して解読し、視聴可否情報記憶装置に記憶されている情報と比較する制御信号処理手段と、ユーザーなどが入力した記録装置制御信号と前記制御信号処理手段が行った比較結果を基に記録装置を制御する記録装置制御手段とを備え、視聴年齢制限により視聴不可となった番組を録画しようとした場合に録画を中止する。【選択図】図１
2006238278.tif 000002
【特許請求の範囲】
【請求項１】
チューナーを介して入力された番組から制御情報を抜き出して解読し、視聴可否情報記憶装置に記憶されている情報と比較する制御信号処理手段と、ユーザーなどが入力した記録装置制御信号と前記制御信号処理手段が行った比較結果を基に記録装置を制御する記録装置制御手段とを備え、視聴年齢制限情報により視聴不可となった番組を録画しようとした場合に録画を中止することを特徴とする記録装置制御システム。
【請求項２】
前記記録装置の現状態を記録しておく記録装置状態記憶手段を更に備え、前記記録装置が録画中に視聴年齢制限情報により視聴不可となった場合に録画を中止することを特徴とする請求項１記載の記録装置制御システム。
【発明の詳細な説明】
【技術分野】
【０００１】
本発明は、記録装置への記録方法を制御する制御システムに関するものである。
【背景技術】
【０００２】
近年、ＳＤカードやマルチメディアカードなど記録媒体が小型化され、手軽に番組放送などの録画ができるようになってきた。一方、番組放送が多チャンネル化する中で、その内容も多様化している。放送局はその対応として、放送番組に暴力シーンや教育上好ましくないシーンがある場合、一定年齢以下の視聴者が視聴できないようにするために、視聴年齢制限情報を番組情報として送出している。この情報を用いて、一定年齢以下の視聴者が視聴できないようにするためには、受信機側でパスワードをあらかじめ設定しておき、視聴年齢制限がかかった番組の場合はパスワードの入力を求め、認証が行えた場合のみ映像信号および音声信号を出力し、認証が行えない場合には映像信号および音声信号を出力しないということが行われている（例えば、特許文献１参照）。
【０００３】
しかし、このような番組を録画する場合、視聴年齢制限の情報を番組と共に録画できないアナログ録画などでは、録画時にパスワードの入力を求められ、認証が行えないと無音でかつ映像のない状態が録画されることになる。通常、記録媒体には記録時間に制限があり、小型化されたものはさらに記録時間が短く、無音でかつ映像のない状態は記憶容量の観点からすると無駄である。
【特許文献１】特開２００２−２８１４７２号公報
【発明の開示】
【発明が解決しようとする課題】
【０００４】
解決しようとする問題点は、放送番組に視聴年齢制限があり、この情報を番組と共に録画できない場合、無音でかつ映像のない状態が録画されるという点である。
【課題を解決するための手段】
【０００５】
本発明の請求項１に係る記録装置制御システムは、チューナーを介して入力された番組から制御情報を抜き出して解読し、視聴可否情報記憶装置に記憶されている情報と比較する制御信号処理手段と、ユーザーなどが入力した記録装置制御信号と前記制御信号処理手段が行った比較結果を基に記録装置を制御する記録装置制御手段とを備え、視聴年齢制限情報により視聴不可となった番組を録画しようとした場合に録画を中止することを特徴とする。
【０００６】
また、本発明の請求項２に係る記録装置制御システムは、請求項１記載の記録装置制御システムの構成において、前記記録装置の現状態を記録しておく記録装置状態記憶手段を更に備え、前記記録装置が録画中に視聴年齢制限情報により視聴不可となった場合に録画を中止することを特徴とする。
【発明の効果】
【０００７】
本発明は、放送番組に視聴年齢制限があり、その番組を録画しようとした時に、パスワードの認証が行えず視聴不可となった場合には録画を中止するため、記録媒体の記憶容量を有効に使用できるという利点がある。
【発明を実施するための最良の形態】
【０００８】
（実施の形態１）
図１は、本発明の実施の形態１における記録装置制御システムの構成図である。図１において符号１０１はチューナー、符号１０２はマイコン、符号１０３は制御信号処理手段、符号１０４は記録装置制御手段、符号１０５は映像／音声信号処理装置制御手段、符号１０６は視聴可否情報記憶装置、符号１０７は映像／音声信号処理装置、符号１０８は記憶装置、符号１０９は表示装置、符号１１０は音声出力装置、符号１１１は記録装置制御信号を示す。
【０００９】
チューナー１０１はアンテナから入力された信号から指定された信号を選択し、映像／音声信号処理装置１０７はチューナー１０１から入力された映像／音声信号を記録装置１０８に、映像信号を表示装置１０９に、音声信号を音声出力装置１１０にそれぞれ出力する。
【００１０】
マイコン１０２は制御信号処理手段１０３と記録装置制御手段１０４と映像／音声信号処理装置制御手段１０５を含む。制御信号処理手段１０３はチューナー１０１から出力された制御情報を解読し、解読した結果と視聴可否情報記憶装置１０６に記憶されている情報と比較し、比較した結果を記録装置制御手段１０４と映像／音声信号処理装置制御手段１０５に出力する。記録装置制御手段１０４は記録装置制御信号１１１と制御信号処理手段１０３からの入力結果に基づき記憶装置１０８を制御し、映像／音声信号処理装置制御手段１０５は制御信号処理手段１０３からの入力結果に基づき映像／音声信号処理装置１０７を制御する。
【００１１】
さて、従来の技術では、放送番組に視聴年齢制限があり、この情報を番組と共に録画できない場合、無音でかつ映像のない状態が録画された。
【００１２】
上記の問題を回避するためには、視聴年齢制限により視聴不可となった番組を録画する場合は録画を中止すればよい。以下にその動作について説明する。
【００１３】
チューナー１０１は、アンテナより受信した信号の中からユーザーなどによって指定された信号を選択する。
【００１４】
チューナー１０１で選択された信号中に含まれる映像信号と音声信号は映像／音声信号処理装置１０７を介して、映像信号はブラウン管や液晶パネルなどの表示装置１０９に、音声信号はスピーカー、イヤホンなどの音声出力装置１１０に、それぞれ出力される。また、映像信号と音声信号の両方が、ビデオデッキ、ＳＤカードなどの記録装置１０８に出力される。
【００１５】
一方、チューナー１０１で選択された信号中に含まれる制御信号は制御信号処理手段１０３に入力される。制御信号処理手段１０３では制御信号の解読を行い、番組ごとに付加されている視聴年齢制限情報を抜き取り、視聴可否情報記憶装置１０６に記憶されている視聴可否情報と比較する。視聴可否情報とは、番組に付随して送られる視聴年齢制限情報と比較するためのもので、例えば、視聴年齢制限情報が１５歳で視聴可否情報が１８歳の場合、番組は１５歳以上であれば視聴可能であるとしているのに対し、受信側では１８歳の視聴者が視聴すると設定しているので視聴可能となる。比較した結果は、映像／音声信号処理装置制御手段１０５と記録装置制御手段１０４に出力される。
【００１６】
映像／音声信号処理装置制御手段１０５では制御信号処理手段１０３から入力された情報が視聴不可であった場合は、映像／音声信号処理装置１０７を制御し、表示装置１０９と音声出力装置１１０への出力を中止する。
【００１７】
記録装置制御手段１０４には記録装置１０８を外部より制御するために録画、再生、停止などの記録装置制御信号１１１が入力される。例えば記録装置制御信号１１１から録画という信号が入力されたとすると、記録装置制御手段１０４は記録装置１０８の録画を開始する。
【００１８】
記録装置制御手段１０４は制御信号処理手段１０３から入力された情報が視聴不可の状態で記録装置制御信号１１１から録画という信号が入力された場合は、記録装置１０８の録画を開始しない。
【００１９】
図２は本発明の実施の形態１におけるマイコン１０２の処理を示すフロー図である。以下に本処理の流れを示す。
【００２０】
制御信号の解読（Ｓ２０１）で制御信号の解読を行い、視聴年齢制限情報を抜き取り、視聴可否情報との比較を行う（Ｓ２０２）。比較した結果、視聴不可である時は（Ｓ２０３で「ＮＯ」）、表示装置と音声出力装置への出力を停止する（Ｓ２０４）。
【００２１】
記録装置制御信号が入力され（Ｓ２０５で「ＹＥＳ」）、その信号が録画の時（Ｓ２０６で「ＹＥＳ」）かつ、視聴可である時には（Ｓ２０７で「ＹＥＳ」）、記録装置の録画を開始する（Ｓ２０８）が、視聴不可である時には（Ｓ２０７で「ＮＯ」）、記録装置の録画は開始しない。
【００２２】
なお、上記実施例において、視聴不可のため録画を開始しなかった場合には、「録画できません」などのメッセージを出してもよい。
【００２３】
また、上記実施例において、録画を中止するか否かの切換をユーザーができるようにしてもよい。
【００２４】
（実施の形態２）
図３は、本発明の実施の形態２における記録装置制御システムの構成図である。図３において符号１０１はチューナー、符号１０２はマイコン、符号１０３は制御信号処理手段、符号１０４は記録装置制御手段、符号１０５は映像／音声信号処理装置制御手段、符号１０６は視聴可否情報記憶装置、符号１０７は映像／音声信号処理装置、符号１０８は記憶装置、符号１０９は表示装置、符号１１０は音声出力装置、符号１１１は記録装置制御信号、符号１１２は記憶装置状態記憶手段を示す。
【００２５】
チューナー１０１はアンテナから入力された信号から指定された信号を選択し、映像／音声信号処理装置１０７はチューナー１０１から入力された映像／音声信号を記録装置１０８に、映像信号を表示装置１０９に、音声信号を音声出力装置１１０にそれぞれ出力する。
【００２６】
マイコン１０２は制御信号処理手段１０３と記録装置制御手段１０４と映像／音声信号処理装置制御手段１０５と記録装置状態記憶手段１１２を含む。制御信号処理手段１０３はチューナー１０１から出力された制御情報を解読し、解読した結果と視聴可否情報記憶装置１０６に記憶されている情報と比較し、比較した結果を記録装置制御手段１０４と映像／音声信号処理装置制御手段１０５に出力する。記録装置制御手段１０４は記録装置制御信号１１１と制御信号処理手段１０３からの入力結果に基づき記憶装置１０８を制御し、記憶装置１０８の現在の動作状態を記録装置状態記憶手段１１２に記憶する。映像／音声信号処理装置制御手段１０５は制御信号処理手段１０３からの入力結果に基づき映像／音声信号処理装置１０７を制御する。
【００２７】
ここで、記録装置１０８がすでに録画状態であった時に視聴年齢制限情報が変化した場合のマイコン１０２の動作について説明する。
【００２８】
チューナー１０１で選択された信号中に含まれる制御信号は制御信号処理手段１０３に入力される。制御信号処理手段１０３では制御信号の解読を行い、番組ごとに付加されている視聴年齢制限情報を抜き取り、視聴可否情報記憶装置１０６に記憶されている視聴可否情報と比較する。比較した結果は、映像／音声信号処理装置制御手段１０５と記録装置制御手段１０４に出力される。
【００２９】
映像／音声信号処理装置制御手段１０５では制御信号処理手段１０３から入力された情報が視聴不可であった場合は、映像／音声信号処理装置１０７を制御し、表示装置１０９と音声出力装置１１０への出力を中止する。
【００３０】
記録装置制御手段１０４には記録装置１０８を外部より制御するために録画、再生、停止などの記録装置制御信号１１１が入力される。例えば、記録装置制御信号１１１から録画という信号が入力されたとすると、記録装置制御手段１０４は、記録装置１０８の録画を開始するのと同時に、記録装置状態記憶手段１１２に録画状態であるという情報を格納する。
【００３１】
記録装置制御手段１０４は制御信号処理手段１０３から入力された情報が視聴可から視聴不可に変化した時には、記録装置状態記憶手段１１２から記録装置１０８の動作状態情報を読み出し、録画状態であった場合は記録装置１０８の録画を停止する。同時に記録装置状態記憶手段１１２に録画停止状態であるという情報を格納する。
【００３２】
さらに、記録装置制御手段１０４は制御信号処理手段１０３から入力された情報が視聴不可から視聴可に変化した時には、記録装置状態記憶手段１１２から記録装置１０８の動作状態情報を読み出し、録画停止状態であった場合は記録装置１０８の録画を再開する。同時に記録装置状態記憶手段１１２に録画状態であるという情報を格納する。
【００３３】
図４は本発明の実施の形態２におけるマイコン１０２の処理を示すフロー図である。以下に本処理の流れを示す。
【００３４】
制御信号の解読（Ｓ４０１）で制御信号の解読を行い、視聴年齢制限情報を抜き取り、視聴可否情報との比較を行う（Ｓ４０２）。比較した結果、視聴不可である時は（Ｓ４０３で「ＮＯ」）、表示装置と音声出力装置への出力を停止する（Ｓ４０４）。
【００３５】
さらに記録装置が録画状態の時は（Ｓ４０５で「ＹＥＳ」）、記録装置の録画を停止する（Ｓ４０６）。
【００３６】
また、視聴可で（Ｓ４０３で「ＹＥＳ」）、記録装置が録画停止状態の時は（Ｓ４０７で「ＹＥＳ」）、記録装置の録画を再開する（Ｓ４０８）。
【００３７】
なお、上記の場合、記録動作を再開するか否かをユーザーが切り換えることができるようにしてもよい。
【産業上の利用可能性】
【００３８】
本発明記録装置制御システムは、放送番組に視聴年齢制限があり、その番組を録画しようとした時に、パスワードの認証が行えず視聴不可となった場合には録画を中止するため、記録媒体の記憶容量を有効に使用でき、記録装置制御手段として有用である。
【図面の簡単な説明】
【００３９】
【図１】本発明の実施の形態１における記録装置制御システムの構成図
【図２】本発明の実施の形態１におけるマイコンの処理を示すフローチャート
【図３】本発明の実施の形態２における記録装置制御システムの構成図
【図４】本発明の実施の形態２におけるマイコンの処理を示すフローチャート
【符号の説明】
【００４０】
１０１    チューナー
１０２    マイコン
１０３    制御信号処理手段
１０４    記録装置制御手段
１０５    映像／音声信号処理装置制御手段
１０６    視聴可否情報記憶装置
１０７    映像／音声信号処理装置
１０８    記録装置
１０９    表示装置
１１０    音声出力装置
１１１    記録装置制御信号
１１２    記録装置状態記憶手段
【図１】
2006238278.tif 000003
【図２】
2006238278.tif 000004
【図３】
2006238278.tif 000005
【図４】
2006238278.tif 000006